(57)【要約】【課題】カバーに内側への撓みが生じても、取付け時には撓みを矯正できて取付け台に対して確実に取付けでき、意匠性及びカバー機能の低下を防止できるカバー付き部材のカバー取付け構造を提供する。【解決手段】カバー１０の開放側の端部１２の外面側に、又は、取付け台２０の取付け壁部２２の内面側に、周方向に間隔をおいて複数の係止爪部１１を有すると共に、取付け台２０の取付け壁部２２に、又は、カバー１０の開放側の端部１２に、係止爪部１１が嵌合する複数の嵌合部２３を有し、取付け台２０は、取付け壁部２２の内側に規制突起部２６を有し、カバー１０の端部１２が、取付け台２０の取付け壁部２２と規制突起部２６との間に挿入され、係止爪部１１が嵌合部２３に嵌合し、カバー１０が取付け台２０に着脱可能に取り付けられることにより、規制突起部２６はカバー１０の端部１２の内側への撓みを規制する。【選択図】図５
2019087310.tif 000002
【特許請求の範囲】
【請求項１】
一面が開放されたカバーと、前記カバーが取り付けられる取付け台とを備え、
前記取付け台は、取付け台本体と、前記取付け台本体から立設されて前記カバーの開放側の端部の外面側を覆う取付け壁部とを有し、
前記カバーの前記端部の外面側に、又は、前記取付け台の前記取付け壁部の内面側に、周方向に間隔をおいて複数の係止爪部を有すると共に、前記取付け台の前記取付け壁部に、又は、前記カバーの前記端部に、前記係止爪部が嵌合する複数の嵌合部を有し、
前記係止爪部が、前記嵌合部に嵌合することにより、前記カバーが前記取付け台に着脱可能に取り付けられるカバー付き部材のカバー取付け構造であって、
前記取付け台は、前記取付け壁部の内側に規制突起部を有し、
前記規制突起部は、前記カバーの前記端部が、前記取付け台の前記取付け壁部と前記規制突起部との間に挿入されて取り付けられることにより、前記カバーの前記端部の内側への撓みを規制する、カバー付き部材のカバー取付け構造。
【請求項２】
前記規制突起部は、前記取付け台の前記取付け壁部よりも前記カバー側に突出している、請求項１に記載のカバー付き部材のカバー取付け構造。
【請求項３】
前記規制突起部は、隣接する前記嵌合部又は前記係止爪部の間に配置されている、請求項１又は２に記載のカバー付き部材のカバー取付け構造。
【請求項４】
前記カバー及び前記取付け台は、横長形状を有する、請求項１〜３のいずれか１項に記載のカバー付き部材のカバー取付け構造。
【請求項５】
前記規制突起部は、前記取付け台の長手方向の中央部に配置されている、請求項４に記載のカバー付き部材のカバー取付け構造。
【請求項６】
前記規制突起部における前記カバーの前記端部に対向する面の先端側は、テーパー形状を有する、請求項１〜５のいずれか１項に記載のカバー付き部材のカバー取付け構造。
【発明の詳細な説明】
【技術分野】
【０００１】
本発明は、カバー付き部材のカバー取付け構造に関する。
【背景技術】
【０００２】
従来、照明カバーを備えた照明装置等のカバー付き部材が知られている。一般に、カバーは樹脂によって一面が開放するように成形され、開放側の端部が取付け台に対して着脱可能に取り付けられるようになっている。
【０００３】
このようなカバー付き部材のカバー取付け構造として、カバーの開放側端部の外面側に複数の係止爪部が設けられ、この係止爪部が、取付け台の取付け壁部に設けられた嵌合部に、取付け壁部の内側から弾性的に嵌合して係合することにより、カバーが取付け台に着脱可能に取り付けられるものがある。このようにして取り付けられたカバーを取り外す際は、カバーの係止爪部の付近を指で押圧し、カバーの開放側端部を内側に向けて僅かに撓ませることにより、係止爪部と嵌合部との係合状態を解除するようになっている。
【先行技術文献】
【特許文献】
【０００４】
【特許文献１】特開平１０−１６２６２３号公報
【特許文献２】特開２００２−３１５６８６号公報
【発明の概要】
【発明が解決しようとする課題】
【０００５】
しかしながら、従来のカバー取付け構造では、カバーの形状や成形精度等に起因して、図７に示すように、カバー１０の開放側端部が内側に撓み変形する場合がある。図７は、カバー１０の撓み変形を誇張して示しているが、撓み量は、図示するように、カバー１０の長手方向の中央部が最も大きくなる。このような撓み変形がカバー１０に生じると、カバー１０の開放側端部の外面側に形成された複数の係止爪部１１の位置が内側に後退するため、取付け台の取付け壁部に設けられた嵌合部に対し、その内面側から弾性的に嵌合させることが困難になり、カバー１０の取り付け状態が不完全となってしまう。カバーの取り付け状態が不完全になると、カバーと取付け台との間に隙間が生じるため、意匠性が低下するだけでなく、止水性能や塵埃阻止性能等のカバー機能が低下する問題がある。
【０００６】
そこで、本発明は、カバーに内側への撓み変形が生じても、取り付け時には撓みを矯正できて取付け台に対して確実に取り付けることができ、意匠性及びカバー機能の低下を防止することができるカバー付き部材のカバー取付け構造を提供することを目的とする。
【課題を解決するための手段】
【０００７】
（１）  本発明に係るカバー付き部材のカバー取付け構造は、一面が開放されたカバー（例えば、後述の照明カバー１０）と、前記カバーが取り付けられる取付け台（例えば、後述の取付け台２０）とを備え、前記取付け台は、取付け台本体（例えば、後述の取付け台本体２１）と、前記取付け台本体から立設されて前記カバーの開放側の端部（例えば、後述の端部１２）の外面側を覆う取付け壁部（例えば、後述の取付け壁部２２）とを有し、前記カバーの前記端部の外面（例えば、後述する外面１２ａ）側に、又は、前記取付け台の前記取付け壁部の内面側に、周方向に間隔をおいて複数の係止爪部（例えば、後述の係止爪部１１）を有すると共に、前記取付け台の前記取付け壁部に、又は、前記カバーの前記端部に、前記係止爪部が嵌合する複数の嵌合部（例えば、後述の嵌合部２３）を有し、前記係止爪部が、前記嵌合部に嵌合することにより、前記カバーが前記取付け台に着脱可能に取り付けられるカバー付き部材のカバー取付け構造であって、前記取付け台は、前記取付け壁部の内側に規制突起部（例えば、後述の規制突起部２６）を有し、前記規制突起部は、前記カバーの前記端部が、前記取付け台の前記取付け壁部と前記規制突起部との間に挿入されて取り付けられることにより、前記カバーの前記端部の内側への撓みを規制する。
【０００８】
（２）  （１）に記載のカバー付き部材のカバー取付け構造において、前記規制突起部は、前記取付け台の前記取付け壁部よりも前記カバー側に突出していてもよい。
【０００９】
（３）  （１）又は（２）に記載のカバー付き部材のカバー取付け構造において、前記規制突起部は、隣接する前記嵌合部又は前記係止爪部の間に配置されていてもよい。
【００１０】
（４）  （１）〜（３）のいずれかに記載のカバー付き部材のカバー取付け構造において、前記カバー及び前記取付け台は、横長形状を有するものであってもよい。
【００１１】
（５）  （４）に記載のカバー付き部材のカバー取付け構造において、前記規制突起部は、前記取付け台の長手方向の中央部に配置されていてもよい。
【００１２】
（６）  （１）〜（５）のいずれかに記載のカバー付き部材のカバー取付け構造において、前記規制突起部における前記カバーの前記端部に対向する面の先端側は、テーパー形状を有していてもよい。
【発明の効果】
【００１３】
本発明によれば、カバーに内側への撓み変形が生じても、取り付け時には撓みを矯正できて取付け台に対して確実に取り付けることができ、意匠性及びカバー機能の低下を防止することができるカバー付き部材のカバー取付け構造を提供することができる。
【図面の簡単な説明】
【００１４】
【図１】本発明に係るカバー付き部材の一例を示す平面図である。
【図２】図１に示すカバー付き部材のカバーを示す斜視図である。
【図３】図１に示すカバー付き部材の取付け台を示す斜視図である。
【図４】図１中の（ａ）−（ａ）線に沿う拡大縦断面図である。
【図５】図１中の（ｂ）−（ｂ）線に沿う拡大縦断面図である。
【図６】図１に示すカバー付き部材の設置例を説明する図である。
【図７】カバーが撓み変形した状態を説明する図である。
【発明を実施するための形態】
【００１５】
以下、本発明の実施形態について図面を用いて説明する。
図１は、本発明に係るカバー付き部材の一例を示す平面図である。図２は、図１に示すカバー付き部材のカバーを示す斜視図である。図３は、図１に示すカバー付き部材の取付け台を示す斜視図である。図４は、図１中の（ａ）−（ａ）線に沿う拡大縦断面図である。図５は、図１中の（ｂ）−（ｂ）線に沿う拡大縦断面図である。
本実施形態では、カバー付き部材として、浴室用の照明装置を例に挙げて説明する。なお、以下に示す照明装置において、電球、配線基板、電力供給用の配線、止水パッキン等の照明装置の内部又は外部に配置される部品については、図示を省略した。
【００１６】
図１に示すように、照明装置１は、照明カバー１０と、この照明カバー１０が取り付けられる取付け台２０とを有する。照明カバー１０及び取付け台２０は、いずれも樹脂製である。
【００１７】
本実施形態に示す照明カバー１０は、図２に示すように、対向する長辺１０ａ、１０ａと対向する短辺１０ｂ、１０ｂとを有する横長箱状に形成されている。照明カバー１０の一面は開放され、横長矩形状の開放部１０ｃとなっている。照明カバー１０の開放側の端部１２は、開放部１０ｃを取り囲む一定幅の帯状に形成されている。この端部１２は、後述する取付け台２０に対する取付け部となる部位であり、照明カバー１０の他の部位に比べて薄肉状に形成されている。
【００１８】
照明カバー１０の端部１２の外面１２ａに、係止爪部１１が形成されている。係止爪部１１は、長辺１０ａ、１０ａ側の端部１２の外面１２ａに、長手方向（開放部１０ｃの周方向）に沿って間隔をおいて複数形成されている。各係止爪部１１は、端部１２の外面１２ａから一定高さで突出する突起状であり、取付け台２０側に向けて下り傾斜するテーパー状に形成されている。本実施形態では、各長辺１０ａ、１０ａ側の端部１２に、４個ずつ計８個の係止爪部１１を例示しているが、係止爪部１１の数は問わない。
【００１９】
一方、取付け台２０は、図３に示すように、照明カバー１０の開放部１０ｃの外形形状に一致するように、長辺２０ａ、２０ａと短辺２０ｂ、２０ｂとを有する横長矩形状に形成されている。取付け台２０は、主として、横長矩形状の平板からなる取付け台本体２１と、この取付け台本体２１の外周縁に一体に成形された取付け壁部２２とを有している。取付け壁部２２は、取付け台本体２１を枠状に取り囲むと共に、取付け台本体２１から照明カバー１０側に向けて一定の高さで立ち上がるように形成されている。
【００２０】
この取付け壁部２２には、照明カバー１０の係止爪部１１を取付け壁部２２の内面２２ａ側から嵌合させるための複数の嵌合部２３が形成されている。嵌合部２３は、照明カバー１０の係止爪部１１に対応するように、長辺１０ａ、１０ａ側の取付け壁部２２の長手方向（取付け壁部２２の周方向）に間隔をおいて配置されている。本実施形態に示す嵌合部２３は、取付け壁部２２を貫通する貫通穴によって形成されている。しかし、嵌合部２３は、取付け壁部２２の内面２２ａに形成された凹部によって形成されてもよい。
【００２１】
取付け台本体２１には、取付け壁部２２よりも内側に内周壁部２４が形成されている。内周壁部２４は、取付け壁部２２から照明カバー１０の端部１２の厚み分程度の距離をおいて、取付け台本体２１の外形形状に沿うように形成されている。これにより、取付け壁部２２と内周壁部２４との間に溝部２５が形成されている。図４に示すように、取付け台本体２１から照明カバー１０側へ向けた内周壁部２４の高さは、取付け台本体２１から照明カバー１０側へ向けた取付け壁部２２の高さよりも低く、取付け壁部２２の嵌合部２３の内面側を覆わない程度の高さとなっている。より詳細には、内周壁部２４の高さは、照明カバー１０を取り外すために係止爪部１１の付近を内側に向けて押圧した際に、照明カバー１０の端部１２が内側に向けて撓むことを阻害しない程度となっている。
【００２２】
内周壁部２４には、規制突起部２６が形成されている。規制突起部２６は、長辺２０ａ、２０ａ側の内周壁部２４の一部の部位、具体的には、本実施形態において長辺２０ａ、２０ａ側の内周壁部２４の中央部位が、照明カバー１０側に向けて一体に突出することによって形成されている。本実施形態に示す規制突起部２６は、長辺２０ａ、２０ａ側の内周壁部２４にそれぞれ１つずつ配置されている。規制突起部２６の厚みは、内周壁部２４の厚みに等しく、規制突起部２６の幅は、取付け台２０の長辺２０ａの長さに比べて遥かに小さい。即ち、規制突起部２６は、取付け台２０の長手方向の一部から照明カバー１０側に向けて突出している。
【００２３】
なお、図３に示す取付け台２０において、符号２７は、取付け台２０を浴室壁等の設置面に取り付けるためのネジ穴であり、符号２８は、図示しない配線を通す配線挿通穴であり、符号２９は、図示しない配線基板等を取付け台２０にネジ止めするための固定部である。
【００２４】
次に、この照明装置１において、照明カバー１０を取付け台２０に取り付ける様子について説明する。
先ず、照明カバー１０の開放側の端部１２が、取付け台２０の取付け壁部２２と規制突起部２６との間に挿入される。照明カバー１０の係止爪部１１は取付け台２０側に向けて下り傾斜するテーパー状に形成されているため、照明カバー１０の端部１２は、テーパー状の係止爪部１１によって内側に向けて弾性的に僅かに撓み変形しながら挿入される。図４、図５に示すように、照明カバー１０の各係止爪部１１が取付け台２０の各嵌合部２３の位置に到達するまで端部１２が挿入されると、端部１２は外側に向けて弾性復帰し、各係止爪部１１が取付け壁部２２の内面２２ａ側から各嵌合部２３に嵌まり込んで係合する。これにより、照明カバー１０が取付け台２０に対して取り付けられる。
【００２５】
この照明カバー１０の端部１２の挿入時、規制突起部２６は、図５に示すように、照明カバー１０の端部１２の内面１２ｂと当接し、端部１２の挿入動作をその内面１２ｂ側から支持すると同時に、その端部１２の内側への撓みを抑止するように機能する。これにより、照明カバー１０に内側への撓みが生じていても、照明カバー１０の端部１２は、規制突起部２６によって取付け壁部２２に向けて拡げられ、撓みが矯正される。従って、照明カバー１０の端部１２の係止爪部１１は、取付け壁部２２の嵌合部２３に対して確実に嵌まり込んで係合することができる。係止爪部１１が嵌合部２３と係合すると、規制突起部２６は、端部１２を取付け壁部２２との間で挟むように支持するので、係止爪部１１と嵌合部２３との係合状態が安定的に保持される。
【００２６】
従って、この照明カバー１０の取付け構造によれば、照明カバー１０に内側への撓みが生じていても、各係止爪部１１と各嵌合部２３とを確実に係合させ、照明カバー１０を取付け台２０に隙間の発生なく取り付けることができるので、意匠性及びカバー機能の低下を防止することができる。
【００２７】
本実施形態に示す規制突起部２６は、図５に示すように、取付け台２０の取付け壁部２２よりも照明カバー１０側に突出するように形成されている。これにより、照明カバー１０の開放側の端部１２を取付け壁部２２の内側に挿入する際、最初に、その端部１２の内面１２ｂを規制突起部２６に当接させることができるので、照明カバー１０の端部１２を取付け壁部２２と規制突起部２６との間に円滑に案内することができる。従って、照明カバー１０の取り付け作業性が向上する。
【００２８】
また、本実施形態に示す規制突起部２６は、図１、図３に示すように、隣接する嵌合部２３、２３の間に配置されている。これにより、係止爪部１１と嵌合部２３との係合を解除する際に、規制突起部２６が邪魔になることがない。即ち、照明カバー１０の端部１２は、係止爪部１１の付近が指で押圧された際、従来通りに内側に撓むことができるため、規制突起部２６が照明カバー１０の取り外しに支障をきたすことがない。
【００２９】
更に、本実施形態に示す規制突起部２６は、長辺２０ａ、２０ａ側の内周壁部２４の中央部に配置されている。本実施形態に示すように照明カバー１０及び取付け台２０がいずれも横長形状を有する照明装置１の場合、照明カバー１０は長手方向の中央部が最も大きく撓むため、規制突起部２６が長辺２０ａ、２０ａ側の内周壁部２４の中央部に配置されることにより、少ない規制突起部２６の数で、効果的に照明カバー１０の内側への撓みを抑制することができる。
【００３０】
また、図５に示すように、規制突起部２６における照明カバー１０の端部１２に対向する面の先端側は、テーパー面２６ａが形成されたテーパー形状を有している。照明カバー１０の開放側端部１２が取付け台２０の取付け壁部２２と規制突起部２６との間に挿入される際、規制突起部２６のテーパー面２６ａによって、照明カバー１０の端部１２が取付け壁部２２と規制突起部２６との間に円滑にガイドされるようになる。従って、照明カバー１０の取り付け作業性はより向上する。
【００３１】
次に、かかる照明装置１をユニット式の浴室に設置した例を図６に示す。
図６に示すように、浴室３０内には浴槽３１と洗い場３２が設けられている。洗い場３２の壁面３２ａには、縦長状の鏡３３が設けられ、鏡３３の下方に混合水栓３４が設置されている。混合水栓３４にはシャワーホース３５を介してシャワーヘッド３６が接続されている。シャワーヘッド３６は、壁面３２ａに設けられたシャワーフック３７に掛止できるように構成されている。本発明の一実施形態である照明装置１は、鏡３３と天井３２ｂとの間の壁面３２ａに取付けられている。
【００３２】
以上の実施形態では、係止爪部１１は、照明カバー１０の開放側の端部１２の外面１２ａ側に設けられ、嵌合部２３は、取付け台２０の取付け壁部２２に設けられるカバー取付け構造を例示したが、これに限定されない。本発明に係るカバー付き部材のカバー取付け構造は、係止爪部１１が、取付け台２０の取付け壁部２２の内面２２ａ側に設けられ、嵌合部２３が、照明カバー１０の開放側の端部１２に設けられるものであっても、上記同様の効果を奏することができる。
【００３３】
また、以上の実施形態では、カバー付き部材として浴室用の照明装置１を例示したが、本発明におけるカバー付き部材は浴室用の照明装置に何ら限定されない。更に、本発明におけるカバー付き部材は、照明装置に限定されず、係止爪部と嵌合部との嵌合構造によって、カバーが取付け台に着脱可能に取り付けられるものに広く適用可能である。
【符号の説明】
【００３４】
１０  照明カバー（カバー）
１１  係止爪部
１２  開放側の端部
１２ａ  開放側の端部の外面
２０  取付け台
２１  取付け台本体
２２  取付け壁部
２２ａ  取付け壁部の内面
２３  嵌合部
２６  規制突起部
２６ａ  テーパー面
【図１】
2019087310.tif 000003
【図２】
2019087310.tif 000004
【図３】
2019087310.tif 000005
【図４】
2019087310.tif 000006
【図５】
2019087310.tif 000007
【図６】
2019087310.tif 000008
【図７】
2019087310.tif 000009